(57)【要約】【課題】ビデオコンテンツの交換のための方法、装置、及びシステムが提供される。【解決手段】メディアアウトレットデバイスはメディアアウトレットアプリケーションを備え、ユーザのユーザデバイスは対話型メディアアプリケーションを備え、対話型メディアアプリケーションは、メディアアウトレットアプリケーションを介してメディアアウトレットデバイスと通信することが可能になる。ビデオコンテンツは、ユーザデバイス上で記録及び符号化される。対話型マップは、メディアアウトレットデバイスのユーザインターフェース上に表示される。対話型マップは、ユーザデバイスの現在の位置を示す。ユーザからのビデオコンテンツの購入は、ユーザインターフェースを介して可能にとなる。購入されたビデオコンテンツは、ユーザデバイスから中央サーバ及びメディアアウトレットデバイスのうちの少なくとも一つに通信される。【選択図】図３
2018174516.tif 000002
【特許請求の範囲】
【請求項１】
ビデオコンテンツの交換方法であって、
メディアアウトレットデバイス上にメディアアウトレットアプリケーションを提供する工程と、
ユーザユーザデバイス上に、前記メディアアウトレットアプリケーションを介して前記メディアアウトレットデバイスと通信することを可能にする対話多型メディアアプリケーションを提供する工程と、
前記ユーザデバイス上にビデオコンテンツを記録及び符号化する工程と、
前記メディアアウトレットデバイスのユーザインターフェース上に、前記ユーザデバイスの現在位置を示す対話型マップを表示する工程と、
前記ユーザインターフェースを介してユーザからのビデオコンテンツの購入を可能にする工程と、 
前記購入されたビデオコンテンツを前記ユーザデバイスから中央サーバ及び前記メディアアウトレットデバイスのうちの少なくとも一つに通信する工程と、
を含む方法。
【請求項２】
請求項１に記載の方法であって、
前記ビデオコンテンツと共に記憶及び送信するための関連したメタデータ情報を記録する工程をさらに含み、
前記関連したメタデータ情報は、記録の日時情報、及び記録の間、前記ユーザデバイスの記録位置を示す地理位置情報の少なくとも一つを含む、ことを特徴とする方法。
【請求項３】
請求項２に記載の方法であって、
前記日時情報及び前記地理的位置情報のうちの少なくとも一つによって前記ユーザインターフェース及び前記対話型マップを介して前記記録されたビデオコンテンツを検索する工程をさらに、含む方法。
【請求項４】
請求項２に記載の方法において、
前記メタデータ情報が、ユーザデバイス位置、ビデオ長、ビデオ及びオーディオフォーマット、タイムコード、ビデオファイルのサイズ、ユーザデバイス識別情報、所有権及び著作権情報、及びユーザによって予め定義され、又は動的に記録された追加メタデータ情報の少なくとも一つを含む、方法。
【請求項５】
請求項４に記載の方法において、
前記追加メタデータ情報が、割り当て名、地理的位置、ユーザ名、ストーリータイトル、主題参照、番組名、ソース情報、記録装置のタイプ、及びユーザコメントの少なくとも一つを含み、
前記ビデオコンテンツが、前記メタデータ情報のいずれか、又はメタデータ情報のいずれかの組み合わせによって検索可能である、方法。
【請求項６】
請求項３に記載の方法であって、
前記ビデオコンテンツが、日付の範囲、時間の範囲、タイムコード、及び現在の時間のうちの少なくとも一つを使用して、さらに検索可能である、方法。
【請求項７】
請求項１に記載の方法であって、
複数のユーザデバイスが、対応する記録位置及び移動経路の少なくとも一つを用いて、前記対話型マップ上に示される、方法。
【請求項８】
請求項７に記載の方法にであって、
前記複数のユーザ装置が、
現在ビデオコンテンツを記録している動作中のユーザデバイス、及び
現在ビデオコンテンツを記録していない非作動ユーザデバイス
の少なくとも一つを含む、方法。
【請求項９】
請求項８に記載の方法であって、
前記ユーザデバイスの現在の位置を示すアイコンを提供する工程を更に含み、
前記動作中のユーザデバイスのアイコンが第一の色をもち、前記非動作ユーザデバイスのアイコンが第二の色をもつ、方法。
【請求項１０】
請求項８に記載の方法であって、
動作中のユーザデバイス及び非動作ユーザデバイスのうちの少なくとも一つの一つ又は複数のグループが、前記マップ上の、対応する一つ又は複数のサークルにより示される、方法。
【請求項１１】
請求項１０に記載の方法であって、
前記一つ以上のサークルのサイズは、前記サークルによって示される位置におけるユーザデバイスの数に対応する、方法。
【請求項１２】
請求項１に記載の方法であって、
前記ユーザとメディアアウトレットの人員との間の通信のために、前記ユーザデバイスと前記メディアアウトレットデバイス上でチャット機能を可能にする、方法。
【請求項１３】
請求項１２に記載の方法であって、
前記チャット機能が、
ビデオコンテンツの購入のための交渉、
前記人員から前記ビデオコンテンツの現在の記録に関連するユーザへの指示、及び
今後の記録サービスの購入に関する交渉
の少なくとも一つを含む、方法。
【請求項１４】
請求項１３に記載の方法であって、
前記指示が、現在記録されている画像の変化、記録の視点の変化、視野角の変化、焦点の変化、照明の変化、及びズームの程度の変化の少なくとも一つに関するものである、方法。
【請求項１５】
請求項１２に記載の方法であって、
前記チャット機能からのテキストが、前記コンテンツが記録されていることを示すディスプレイ上に表示されるユーザデバイス上に透明又は半透明の重ね表示として示される、方法。
【請求項１６】
請求項１２に記載の方法であって、
前記チャット機能が、前記コンテンツが記録されていることを示すディスプレイ上に表示されるユーザデバイス上に透明又は半透明のキーボードの重ね表示することを可能にする、方法。
【請求項１７】
請求項１に記載の方法であって、
前記対話型マップが、前記ユーザデバイスの現在の位置、速度及び方向情報を表示する、方法。
【請求項１８】
請求項１に記載の方法であって、
前記ユーザデバイスが、電子装置、タブレットコンピュータ、スマートフォン、スマートウォッチ、専用テレビカメラ、及びIPカメラ又はウェブカメラのうちの一つを含む、方法。
【請求項１９】
請求項１に記載の方法であって、
前記対話型メディアアプリケーションが複数のユーザデバイスに提供され、
前記複数のユーザデバイスのそれぞれに対し、対応する複数の現在位置が前記対話型マップ上に表示される、方法。
【請求項２０】
請求項１９に記載の方法であって、
前記複数のユーザ装置のそれぞれに対する、対応する経路が前記対話型マップ上に表示され、
前記経路のそれぞれに沿った各記録位置に対して、中間点インジケータが前記対話型マップ上のルート上に表示される、方法。
【請求項２１】
請求項２０に記載の方法であって、
前記中間点インジケータのうちの一つを選択することにより、対応する記録場所における前記記録されたコンテンツから低解像度写真又は低解像度ビデオクリップのうちの一つを見ることが可能になる、方法。
【請求項２２】
前記購入されたビデオコンテンツを放送すること、前記購入されたビデオコンテンツを一つ以上のソーシャルメディアアウトレットに投稿すること、前記購入されたビデオコンテンツを記憶することの少なくとも一つをさらに含む、請求項１に記載の方法。
【請求項２３】
ビデオコンテンツの交換のためのシステムであって、
メディアアウトレットデバイスと、
前記ビデオコンテンツを記録及び符号化し、前記メディアアウトレットデバイスと通信するユーザのユーザデバイスと、
前記メディアアウトレットデバイスのユーザインターフェース上に表示され、前記ユーザデバイスの現在の位置を少なくとも示す対話型マップと、
前記ユーザインターフェースを介してユーザからのビデオコンテンツの購入を可能にする取引エンジンと、
を含み、
前記購入されたビデオコンテンツは、前記ユーザデバイスから、中央サーバ及び前記メディアアウトレットデバイスのうちの少なくとも一つと通信される、システム。
【発明の詳細な説明】
【技術分野】
【０００１】
本出願は、２０１４年３月２７日に出願の米国仮出願第６１／９７２２２４号に基づく、２０１５年３月２４日に出願の米国一部継続出願第１４／６６６４６７号（ここに、全ての目的のために組み入れられ、一部を構成する）に基づくものである
【０００２】
本発明は一般的に、ビデオ記録／伝送及びソーシャルメディアの分野に関する。より具体的には、本発明は、記録されたビデオコンテンツ又はライブビデオコンテンツを取得するため、検証するため、及び指示するための方法、装置、及びシステムに関する。
【背景技術】
【０００３】
ビデオ制作に関与するテレビ局や専門家は、毎日、現場でビデオカメラや他のタイプの外部レコーダーを使用して、ビデオコンテンツを時間の制限なしで撮影する。このコンテンツの一部は、セルラーベースのアップリンク・デバイス、衛星、マイクロ波伝送、又は他の手段のような種々の方法を用いて、テレビ局（又は他のニュース会場、ウェブサイト等）へとライブストリーミングされ得るものである。しかし、コンテンツの大半は、スタジオ（又は他の制作現場）に物理的に、戻されるまで、又はＩＰを経由して非同期してスタジオに転送されるまで（非常に時間のかかる過程となる）、元々のビデオカメラのメディアや記録デバイス上に保持される。
【発明の概要】
【発明が解決しようとする課題】
【０００４】
オリジナルコンテンツがスタジオに到着すると、（例えば、タイムスタンプを介して）記録時間以外に記録の詳細をエンドユーザ（編集者や制作スタッフ）に提供することはめったになく、典型的には、ユーザは、所望のコンテンツを見つけるためにコンテンツをプレビューしなければならない。
【０００５】
さらに、ソーシャルメディアはテレビ制作やニュース配信の重要な部分となっている。特に、ソーシャルメディアは、ニュース、スポーツ、天気、ライブイベント、エンターテインメントなどのライブテレビ制作に大きな影響を与える。視聴者は、いつどこで自らの情報を選択するかについてより多くの選択肢をもっているが、従来のテレビ放送局は、視聴者の注目を引きつけるべく競争力を維持するあめに、自ら範囲を広げなければならない。
【０００６】
ソーシャルメディアは、アンカー、ニュースディレクター、派遣デスクマネージャー、プロデューサ、ソーシャルメディアデスクマネージャーなどのスタジオや現場のスタッフ（プロダクションクルー、レポータ/オンエアタレント、カメラマンなど）の制作スタッフが、 Twitter（登録商標）、Facebook（登録商標）、Google+（登録商標）などの手軽なソーシャルメディアアプリケーションを使用して、視聴者とすばやくコミュニケーションをとることができるようにする。ライブテレビ制作中に視聴者と直接コミュニケーションをとることで、視聴者をニュース速報などのイベントを視聴するように、ただちに特定の番組に誘導することを可能にする。
【０００７】
また、ソーシャルメディア自体は、伝統的なニュース、スポーツ、天気、その他の時間に厳格なメディアのプロバイダと競合する有効なアウトレットになる。例えば、ニュース速報やライブスポーツイベントは、ソーシャルメディアアプリケーション上で個人によってリアルタイム又はほぼリアルタイムで記録及び表示される。スマートフォンやその他の電子機器でのソーシャルメディアアプリケーションの普及により、ニュース速報の開始時に伝統的なニュースレポータよりも私人が存在する可能性が高いか、又は私人（個人）が特定の視聴又は伝統的なメディアの報道では得られないライブイベントの視聴又はビデオの断片を得る。
【０００８】
地理的位置及び/又は時間に基づいてコンテンツを検索する能力を有効にすることが有利である。ビデオコンテンツの時間及び地理的情報を含むメタデータ情報の記憶に関連してＧＰＳシステムの使用を活用することがさらに有利である。
【０００９】
また、ニュース、スポーツ、天気予報などの伝統的なメディアアウトレットでは、個人のソーシャルメディアアカウントを活用して、ソーシャルメディアからのライブイベントのキャプチャーとプレゼンテーションを可能にし、だれもが 放送コンテンツを提供することができる場合、利点である。伝統的なメディアアウトレットの人たちが、そのようなライブイベントをキャプチャーするプロセス中に個人と対話して、チャット機能を介して個人への指示を案内し、提供するために、ライブイベントの記録又は提示中に個人に指示することができる場合、利点がある。このような対話が、個人と伝統的なメディアアウトレットを結びつけ、伝統的なメディアアウトレットへの貢献に対して個人に補償を与えるアプリケーションを介して可能になる場合、利点がある。
【００１０】
本発明の方法、装置及びシステムは、前述及び他の利点を提供する。
【課題を解決するための手段】
【００１１】
本発明は、記録又はライブビデオコンテンツの時間ベースと地理的ナビゲーションのための方法、装置、及びシステムに関する。
【００１２】
本発明にしたがったビデオコンテンツの時間ベース及び地理的ナビゲーションのためのシステムの例示的実施例が、記憶及び伝送のためにビデオコンテンツ及び関連したメタデータ情報を記録し、符号化するためのインターネット可能なビデオキャプチャ及び符号化モジュールを含む。関連したメタデータ情報は、記録の日付及び時刻情報、及び記録の間、ビデオキャプチャ及び符号化モジュールの記録位置を示す地理的位置情報の少なくとも一つを含み得る。システムはまた、記録されたビデオコンテンツ及び関連したメタデータ情報をビデオキャプチャ及び符号化モジュールから受信するためのリモートストレージ及びウェブサーバ・デバイスを含む。システムは、さらに、リモートストレージ及びウェブサーバ・デバイスに関連したグラフィカル・ユーザ・インターフェースを含む。グラフィカル・ユーザ・インターフェースは、ビデオキャプチャ及び符号化モジュールの経路及び現在位置を示し、日付及び時刻情報及び地理的位置情報により、記録されたビデオコンテンツの検索を可能にする対話型マップを含む。選択された、記録されたビデオコンテンツは、表示又は記憶のために選択位置にストリーミングされるか、又はダウンロードすることができる。
【００１３】
システムはまた、記録されたビデオコンテンツ及び関連したメタデータ情報を局所的に記憶するための、ビデオキャプチャ及び符号化モジュールに関連したローカルストレージモジュールを含むことができる。ローカルストレージモジュールは、ビデオキャプチャ及び符号化モジュールに組み込まれてもよく、有線又は無線接続を介してビデオキャプチャ及び符号化モジュールに接続されてもよい。ローカルストレージモジュールは、高解像度バージョンのビデオコンテンツ及び/又は低解像度バージョンのビデオコンテンツを記憶してよい。低解像度バージョンのビデオコンテンツをリモートストレージ及びウェブサーバ・デバイスに提供することができる。
【００１４】
これに代えて、高解像度バージョンのビデオコンテン又は低解像度バージョンのビデオコンテンツの少なくとも一つは、リモートストレージ及びウェブサーバ・デバイスに（ビデオキャプチャ及び符号化モジュールから直接又はローカルストレージモジュールを介して）提供されてもよい。
【００１５】
記録されたビデオコンテンツが選択されると、その選択された、記録されたビデオコンテンの高解像度バージョンが選択位置に、ストリーミングされるか、又はダウンロードされる。選択された、記録されたビデオコンテンツの高解像度バージョンは、ビデオキャプチャ及び符号化モジュール又はリモートストレージ及びウェブサーバ・デバイスに関連しれたローカルストレージモジュールの一つからストリーミングされ、又はダウンロードされ得る。
【００１６】
選択位置は、ビデオサーバ、クライアント視聴デバイス、放送テレビチャンネル、ストリーミングチャンネル、ニュースフィード、ウェブサイト、ソーシャルメディアプラットフォーム、再生サーバ、アーカイブサーバ、ニュース自動システム、ノンリニア編集システム、コンテンツ配信ネットワーク（CDN）、オンラインビデオポータル（OVP）などの一つを含む。
【００１７】
本システムは、複数のビデオキャプチャ及び符号化モジュールを含んでよい。このような実施例では、複数のビデオキャプチャ及び符号化モジュールの各々に対する対応する複数の経路及び現在場所が、対話型マップ上に表示される。
【００１８】
経路に沿った記録位置のそれぞれに対し、中間位置インジケータが対話型マップの経路上に表示され得る。中間位置インジケータのいずれかを選択すると、対応する記録位置での記録されたコンテンツから低解像度の写真又は低解像度のビデオクリップの一つを視聴することが可能になる。
【００１９】
中間位置インジケータは、対応する記録位置での記憶されたコンテンツからの低解像度の写真又は低解像度のビデオクリップの一つを含んでよい。
【００２０】
各径路に沿って表示される中間位置インジケータの数が設定可能である。また、各径路に沿って表示される中間位置インジケータの数がマップのビューをズームや拡張するときに自動的に調整されてよい。
【００２１】
グラフィカル・ユーザ・インターフェースは、さらに、各中間位置に対する日付、時刻及びGPS座標を示すテーブルを含んでよい。テーブルからエントリを選択すると、対応する記録位置での記録されたコンテンツの低解像度の写真又は低解像度のビデオクリップの一つの視聴が可能となる。
【００２２】
システムはさらに、地理的位置情報を提供するためのビデオキャプチャ及び符号化モジュールに関連したGPSモジュールを含んでよい。
【００２３】
メタデータ情報は、さらに、カメラの位置、ビデオの長さ、ビデオ及びオーディオフォーマット、タイムコード、ビデオファイルのサイズ、カメラ識別情報、所有権及び著作権情報、及び事前定義され又はユーザにより動的にログインされた追加のメタデータ情報、又は他のタイプの識別情報の少なくとも一つを含んでよい。追加のメタデータ情報は、割り当て名、地理的位置、カメラマン名、レポータ名、カメラクルー名、アシスタント名、生産者名、ストーリーの題目、主題の参照、プログラム名、ユーザのコメントなどを少なくとも一つを含んでもよい。ビデオコンテンツは、メタデータ情報又はメタデータ情報の任意の組み合わせにより検索することができる。
【００２４】
ビデオコンテンツはさらに、日付の範囲の、時間の範囲、タイムコード、及び現在時刻を用いて検索することができる。
【００２５】
対話型マップは、ビデオキャプチャ及び符号化モジュールの現在の位置、速度、並びに方向情報を表示してよい。
【００２６】
ビデオキャプチャ及び符号化モジュールは、ビデオカメラ、ビデオカメラ、テレビカメラ、ムービーカメラ、携帯型電子機器、タブレットコンピュータ、スマートフォン、IP又はウェブカメラなどの一つを含んでよい。
【００２７】
本システムはさらに、リモートストレージ及びウェブサーバ・デバイスに遠隔でアクセスするためのリモートアクセス・デバイスを含んでよい。このような実施例では、グラフィカル・ユーザ・インターフェースは、リモートアクセス・デバイス上に表示され得る。リモートアクセス・デバイスは、コンピュータ、ラップトップコンピュータ、携帯用電子機器、タブレットコンピュータ、スマートフォンなどの一つを含んでよい。
【００２８】
リモートストレージ及びウェブサーバ・デバイスは、ローカルソフトウェアアプリケーション又はクラウドベースのアプリケーションの一つを実行するコンピュータの一つを含んでよい。 
【００２９】
選択された、記録されたビデオコンテンツは、高解像度又は低解像度で記録されたコンテンツの選択された部分、高解像度又は低解像度で記録されたコンテンツの全体、及び高解像度又は低解像度で記録されたコンテンツからの選択された一つ以上の画像の一つを含んでよい。
【００３０】
メタデータは、リアルタイム又はほぼリアルタイムでリモートストレージ及びウェブサーバ・デバイスで、記録されたビデオコンテンツと共に記憶され、同時に保存されてよく、又はその後にビデオキャプチャ及び符号化モジュールに関連したローカルストレージからリモートストレージ及びウェブサーバ・デバイスに、記録されたビデオコンテンツと共に転送されてよい。
【００３１】
これに代えて、メタデータは、リアルタイム又はほぼリアルタイムで、リモートストレージ及びウェブサーバ・デバイスにおいて、記録されたビデオコンテンツなしで記録され、保存されてよく、又は記録されたビデオコンテンツから分離されて、ビデオキャプチャ及び符号化モジュールに関連したローカルストレージからリモートストレージ及びサーバ・デバイスにその後に転送されてよい。
【００３２】
グラフィカル・ユーザ・インターフェースは更に、経路又は経路の一部についてズームインするためのズーム機能、マップの領域を拡張するための拡張機能、マップの表示位置を変更する位置変更機能、表示される経路の日時の範囲などの少なくとも一つを選択するための選択インターフェースなどの少なくとも一つを含んでよい。
【００３３】
本発明はまた、上述のシステムの実施例に従った装置及び方法を含む。
【００３４】
本発明に従った時間ベース及び地理的ナビケーションの例示の方法の実施例が、ビデオキャプチャ及び符号化モジュールを使用して記憶及び伝送のためのビデオコンテンツ及び関連したメタデータ情報を記録し、符号化する工程を含む。関連したメタデータ情報は、記録の日付及び時刻情報、記録の間、ビデオキャプチャ及び符号化モジュールの記録位置を示す地理的位置情報の少なくとも一つを含み得る。本発明はさらに、記録されたビデオコンテンツ及び関連したメタデータ情報をビデオキャプチャ及び符号化モジュールからリモートストレージ及びウェブサーバ・デバイスに通信する工程、及びリモートストレージ及びウェブ・デバイスに関連したグラフィカル・ユーザ・インターフェースを介して、ビデオコンテンツ及び符号化モジュールの経路及び現在位置を示す対話型マップの表示を可能にする工程を含む。本方法はまた、日付及び時刻の情報並びに地理的位置情報の少なくとも一つによって、グラフィカル・ユーザ・インターフェース及び対話型マップの一つを使用して検索する工程、及び表示又は記憶のために、選択位置へとストリーミングするため又はダウンロードするために、記憶されたビデオコンテンツを選択する工程を含む。
【００３５】
本発明の更なる例示的な実施形態では、ビデオコンテンツの交換のための方法が提供される。本方法は、メディアアウトレットデバイスにメディアアウトレットアプリケーションを提供することと、ユーザのユーザデバイス上に対話型メディアアプリケーションを提供することとを含み、対話型メディアアプリケーションは、メディアアウトレットアプリケーションを介してメディアアウトレットデバイスと通信することを可能にする。対話型マップは、メディアアウトレットデバイスのユーザインターフェース上に表示される。対話型マップは、ユーザデバイスの現在の位置を示す。ユーザからのビデオコンテンツの購入は、ユーザインターフェースを介して可能にされる。次いで、購入されたビデオコンテンツは、ユーザデバイスから、中央サーバ及びメディアアウトレットデバイスのうちの少なくとも一つに通信され得る。
【００３６】
関連付けられたメタデータ情報は、ビデオコンテンツと共に記憶及び送信のために記録されてもよい。関連するメタデータ情報は、記録の日時情報、及び記録中のユーザ装置の記録位置を示す地理的位置情報のうちの少なくとも一つを含むことができる。
【００３７】
ビデオコンテンツは、ライブコンテンツでも、記録されあコンテンツでもよい。ビデオコンテンツは、日時情報及び地理的位置情報のうちの少なくとも一つによって、ユーザインターフェース及び対話型マップを介して検索されてもよい。
【００３８】
メタデータ情報はさらに、ユーザデバイス位置、ビデオ長、ビデオ及びオーディオ形式、タイムコード、ビデオファイルのサイズ、ユーザデバイス識別情報、所有権及び著作権情報、及び ユーザにより予め定義された又は動的に記録された他のメタデータ情報の少なくとも一つを含んでよい。追加のメタデータ情報は、割り当て名、地理的位置、ユーザ名、ストーリータイトル、主題参照、番組名、ソース情報（専用テレビ録画装置/送信機/受信機、ユーザ電話タブレットコンピュータ、ラップトップなど）、記憶機器の種類、ユーザコメントなどの少なくとも一つを含むでもよい。
【００３９】
ビデオコンテンツは、メタデータ情報のいずれか、又はメタデータ情報のいずれかの組み合わせによって検索可能であってよい。ビデオコンテンツは、日付の範囲、時間の範囲、タイムコード、及び現在の時間のうちの少なくとも一つを使用してさらに検索可能であってもよい。
【００４０】
複数のユーザデバイスは、対話型マップ上に、対応する記録位置及び移動経路の少なくとも一つを用いて示されてもよい。複数のユーザデバイスは、今現在ビデオコンテンツを記録している動作中のユーザデバイス、及び ビデオコンテンツを現在記録していない非動作のユーザデバイスを含む。
【００４１】
ユーザ装置の現在の位置を示すアイコンを提供することができる。動作中のユーザデバイスのアイコンは、第一の色とし、非動作のユーザデバイスのアイコンは、第二の色としてもよい。
【００４２】
動作中のユーザデバイス及び非動作のユーザデバイスの少なくとも一つの一つ以上のグループは、マップ上の対応する一つ又は複数のサークルによって示されてよい。一つ又は複数のサークルのサイズは、その場所の記録ソース又はユーザの数に対応するものとすることができる。
【００４３】
チャット機能は、ユーザデバイスとメディアアウトレットデバイスとの間の通信のために、ユーザデバイス及びメディアアウトレットデバイス上で使用可能にすることができる。チャット機能は、ビデオコンテンツの購入のための交渉、 ライブビデオコンテンツの現在の記憶に関するスタッフからユーザへの指示、及び今後の記録サービスの購入に関する交渉の少なくとも一つとすることができる。
【００４４】
指示は、現在記録されている画像の変化、記録の視点の変化、視野角の変化、焦点の変化、照明の変化、ズームの変化 量などの少なくとも一つに関する。
【００４５】
チャット機能からのテキストは、記録されているコンテンツを示すディスプレイ上に現れる、ユーザデバイス上の透明又は半透明の重ね表示として示すことができる。さらに、チャット機能は、コンテンツ上に記録されていることを示すディスプレイ上に現れるユーザデバイス上に透明又は半透明のキーボードを重ねて表示することを可能にすることができる。
【００４６】
対話型マップは、ユーザデバイスの現在の位置、速度、及び方向情報を表示することができる。
【００４７】
ユーザデバイスとして、電子デバイス、タブレットコンピュータ、スマートフォン、スマートウォッチ、IP又はウェブカメラ、専用のテレビカメラ又はトランシーバ（本発明の出願人であるTVU Networks Corporationによって製造されたもの）などが挙げられる。
【００４８】
一つの例示的な実施形態では、複数のユーザデバイスに対話型メディアアプリケーションが提供され、複数のユーザデバイスのそれぞれに対応する複数の現在位置が対話型マップ上に表示される。
【００４９】
複数のユーザデバイスのそれぞれに対する、対応する経路を対話型マップ上に表示することができる。各経路に沿った各記録位置に対して、対話型マップ上のルート上に中間位置インジケータが表示されてよい。中間位置インジケータの一つを選択することにより、対応する記録位置における記録コンテンツから低解像度写真又は低解像度ビデオクリップの一つを見ることができる。
【００５０】
本方法は、購入したビデオコンテンツを放送すること、購入したビデオコンテンツを一つ又は複数のソーシャルメディアアウトレットに投稿すること、及び購入したビデオコンテンツを記憶することなどのうちの少なくとも一つをさらに含むことができる。
【００５１】
本発明はまた、ビデオコンテンツの交換のための対応するシステムを含む。このシステムは、メディアアウトレットデバイス、ビデオコンテンツを記録及び符号化するために、メディアアウトレットデバイスと通信するように適合されたユーザのユーザデバイスを備えることができる。対話型マップは、少なくともユーザデバイスの現在の位置を示すメディアアウトレットデバイスのユーザインターフェース上に表示されてよい。本システムはまた、ユーザインターフェースを介してユーザからのビデオコンテンツの購入を可能にする取引エンジンを備えることができる。次に、購入されたビデオコンテンツは、ユーザデバイスから、中央サーバ及びメディアアウトレットデバイスのうちの少なくともひとつに通信され得る。
【００５２】
本発明のシステムはまた、上述の方法の実施形態の様々な特徴を含むことができる。
【図面の簡単な説明】
【００５３】
本発明は以下で、参照符号が付された添付図面を参照して説明される。
【図１】図１は本発明によるシステムの実施例を示す。
【図２】図２は、本発明に従ったグラフィカル・ユーザ・インターフェースの例示的な実施形態を示す。
【図３】図３は、本発明のさらなる例示的実施形態によるシステムのブロック図を示す。
【図４】図４は、ビデオコンテンツの記録中のユーザデバイスの例示的な実施形態を示す。
【図５】図５は、対話型マップを有するユーザインターフェースの例示的な実施形態を示す。
【図６】図６は対話型マップの例示的な実施形態を示す。
【図７】図７は対話型マップのさらなる例示的実施形態を示す。
【図８】図８は、図７の対話型マップからユーザデバイスのグループ化の選択に起因するユーザインターフェースのサイドバーの例示的な実施形態を示す。
【図９】図９は、ビデオコンテンツの記録中のユーザデバイスのさらなる例示的実施形態を示す図である。
【図１０】図１０は、チャット機能の例示的な実施形態を示す図９のーザデバイスを示す。
【図１１】図１１は、チャット機能の例示的な実施形態を示す図９のーザデバイスを示す。
【図１２】図１２は、キーボードの重ね表示を有する例示的な実施形態の図９−１０のユーザデバイスを示す。
【発明を実施するための形態】
【００５４】
以下の詳細な説明は、例示的な実施形態のみを提供し、本発明の範囲、適用性、又は構成を限定するものではない。むしろ、例示的な実施形態についての以下の詳細な説明は、本発明の実施形態を実施するための可能な説明を当業者に提供するものである。様々な変更が、特許請求の範囲に記載された本発明の思想及び範囲から逸脱することなく、要素の機能及び配置においてなされ得ることが理解されるべきである。
【００５５】
本発明は、記録され又はライブのビデオの時間ベース及び地理的ナビゲーションのための方法、装置、及びシステムに関する。本発明は更に、ソーシャルメディアアプリケーション及びアウトレットを活用するライブコンテンツの記録を取得するため、検証するため、及び指示するための方法及び装置に関する。本明細書で使用される「ライブコンテンツ」、「コンテンツ」又は「ビデオコンテンツ」という用語は、ビデオコンテンツだけでなく、記録可能な場合には付随するオーディオコンテンツも包含する。更に、コンテンツは、ビデオコンテンツの代わりに又はビデオコンテンツに加えてスチール写真を含み得ることも理解されるべきである。
【００５６】
本発明の方法、装置、及びシステムは、操作者が遠隔地で、記録装置（これは、別の場所にあってもよい）上のビデオクリップ、又は一つ以上のライブストリーミングクリップ（リアルタイムで記録されるライブイベントのクリップを含む）を、地理的位置及び発生の日付/時刻に基づいて検索できるようにする。
【００５７】
本発明に従った時間ベース及び地理的ナビゲーションのためのシステムの例示的実施例が図１に示されている。インターネットを利用できるビデオキャプチャ及び符号化モジュール１２が、記憶及び伝送のために、ビデオコンテンツ及び関連したメタデータ情報を記録し、符号化するために提供される。関連したメタデータ情報は、記録の日時及び記録時のビデオキャプチャ及びエンコードモジュール１２の記録位置を示地理的位置情報の少なくとも一つを含む。システムはまた、ネットワーク１８（例えば、インターネット）を介してビデオキャプチャ及び符号化モジュール１２から、記録されたビデオコンテンツ及び関連したメタデータ情報を受信するためのリモートストレージ及びウェブサーバ・デバイス２０を含む。システムは更に、リモートストレージ及びウェブサーバ・デバイス２０に関連したグラフィカル・ユーザ・インターフェース２１を含む。グラフィカル・ユーザ・インターフェース２１は、ビデオキャプチャ及び符号化モジュール１２の経路３１及びの現在位置を示す対話型マップ３０を含み、日時情報及び地理的位置情報の少なくとも一つにより、記録されたビデオコンテンツの検索を可能にする。選択された、記録されたビデオコンテンツは表示や保存のために、選択位置４２にストリーミング２２又はダウンロードされたものであってもよい。
【００５８】
ビデオキャプチャ及び符号化モジュール１２は、伝送のためにビデオコンテンツを記録し、処理し、さらにネットワーク１８に接続するために必要なプロセッサ、メモリ及び他のハードウェアを含んでよい。
【００５９】
ネットワーク１８は、インターネット、衛星ネットワーク、セルラーネットワーク、WAN又はLAN、又は他のタイプの無線アップリンクシステムといったタイプのネットワーク、又はネットワークの組み合わせで表すことができる。
【００６０】
システムはまた、記録されたビデオコンテンツ及び/又は関連したメタデータ情報を局所的に記憶するための、ビデオキャプチャ及び符号化モジュール１２に関連したローカルストレージモジュール１６を含むことができる。ローカルストレージモジュール１６は、（例えば、統合又は取り外し可能なメモリとして）ビデオキャプチャ及び符号化モジュール１２に一体化されても、又は分離されてもよい（ただし有線又は無線接続を介してビデオキャプチャ及び符号化モジュール１２に接続されてはいる）。ローカルストレージモジュール１６が、ビデオキャプチャ及び符号化モジュール１２から分離している場合には、当技術分野でよく知られているように、ビデオキャプチャ及び符号化モジュール１２はまた、内部メモリを含むことができる。ローカル・ストレージ・ジュール１６は、高解像度バージョンのビデオコンテンツ及び/又は低解像度バージョンのビデオコンテンツを記憶することができる。低解像度バージョンのビデオコンテンツがリモートストレージ及びウェブサーバ・デバイス２０に提供されてもよい。
【００６１】
他の例として、高解像度バージョン又は低解像度バージョンのビデオコンテンツの少なくとも一つは、（直接ビデオキャプチャ及び符号化モジュール１２から、又はローカルストレージモジュール１６を介して）リモートストレージ及びウェブサーバ・デバイス２０に提供することができる。
【００６２】
記録されたビデオコンテンツが選択されると、選択された、記録されたビデオコンテンツの高解像度バージョンは、選択位置４２へストリーミング２２されるか、ダウンロード２４される。高解像度バージョンの選択された、記録されたビデオコンテンツは、ビデオキャプチャ及び符号化モジュール１２又はリモートストレージ及びウェブサーバ・デバイス２０に関連したローカルストレージモジュール１６の一つからストリーミングされ、又はダウンロードされてもよい。選択された、記録されたビデオコンテンツも、ビデオキャプチャ及び符号化モジュール１２から選択位置４２にストリーミングされ、又は直接ダウンロードされる。
【００６３】
選択位置４２は、ビデオサーバ、クライアント表示デバイス、放送テレビチャンネル、ストリーミングチャンネル、ニュースフィード、ウェブサイト、ソーシャルメディアプラットフォーム、プレイアウトサーバー、アーカイブサーバ、ニュース・オートメーション・システム、ノンリニア編集システム、コンテンツ配信ネットワーク（CDN）、オンラインビデオポータル（OVP）などの一つを含むことができる。選択位置４２は、グラフィカル・ユーザ・インターフェース２１を介して入力することができる
【００６４】
システムは、複数のビデオキャプチャ及び符号化モジュール１２を含むことができる。このような実施例では、複数のビデオキャプチャ及び符号化モジュール１２のそれぞれに対する、対応する複数の経路３１及び現在位置が対話型マップ３０上に表示され得る。
【００６５】
図２は、本発明に従ったグラフィカル・ユーザ・インターフェース２１の例示的な実施形態を示す。二つの別々のルート３１は、図１の対話型マップ３０に示されているが（ここで、“ヒートマップ”と参照される。）、明確にするため、一つのルート３１が、図２の対話型マップ３０に示されている。複数のビデオキャプチャ及び符号化モジュール１２に対して複数の経路３１を示すことができる。情報がマップ３０上に表示される経路３１及び/又は特定のビデオキャプチャ及び符号化モジュール１２の数は設定可能である（例えば、１０個のビデオキャプチャ及び符号化モジュール１２が現場で動作中であるとき、これらモジュール１２（特定のニュースイベントに近い）の三つに対する情報をマップ３０上に表示することができる）。
【００６６】
図２に示されているように、経路３１に沿った記録位置のそれぞれに対して、中間位置インジケータ３２を、対話型マップ３０上の経路３１上に表示することができる。中間位置インジケータ３２の一つを選択すると、低解像度の写真又は低解像度のビデオクリップ３６の一方の視聴を、対応する記録位置で記録されたコンテンツから可能にすることができる。
【００６７】
中間位置インジケータ３２は、対応する記録位置に記録されたコンテンツから中間地点アイコン、低解像度の写真３６、又は低解像度のビデオクリップ３６のいずれかを含むことができる。図２は、中間位置インジケータ３２としての中間地点アイコンの使用を示し、（例えばマウスクリックやマウスのホバリングで）選択されたときに、ビデオキャプチャ及び符号化モジュール１２に関する種々の情報３７（一端中間位置インジケータ３２が選択されると、示される情報（限定ではないが、ビデオキャプチャ及び符号化モジュール１２の位置、方向、高度、速度、及び方位情報））を与える。図１に示されているように、中間地点アイコンの選択は、記録位置から低解像度バージョンの画像又はビデオクリップ３６の表示をもたらすことができる。これに代えて、画像やビデオクリップ３６は、中間位置インジケータ３２として中間地点アイコンの代わりとすることができる。
【００６８】
各経路３１に沿って表示された中間位置インジケータ３２の数は設定可能である。例えば、経路３１に沿って示された中間位置インジケータ３２の数は、各中間地点３２の間の時間又は距離の程度によって設定されてよい（例えば、中間地点は半マイルごとに、又は中間地点は５分ごと）。また、各ルート３１に沿って表示された中間位置インジケータ３２の数は、マップ３０をズーム又拡大して見るとき自動的に調整することができる。例えば、拡大してマップをみるとき、経路３１の多くは、従って、ルート３１に沿ったより多くの中間位置インジケータ３２が（例えば、中間位置インジケータ３２の密度及び間隔を維持する一方で）自動的に示すことができる。代替的に、マップを拡大するとき、経路３１の一部に沿った中間位置インジケータ３２の数は、所望に増減させることができる。マップ３０の特定の部分又は経路３１の一部についてズームインすると、より多くの中間位置インジケータ３２を見ることができる。
【００６９】
グラフィカル・ユーザ・インターフェース２１は、各中間位置インジケータ３２に対する日付、時刻及びGPS座標を含むテーブル３４を含んでよい。GPS座標に替えて、通りの住所を表示することができる。テーブル３４からエントリを選択すると、対応する記録位置での記録コンテンツから低解像度の写真又は低解像度のビデオクリップ３６（図１に示さている）の視聴が可能となる。
【００７０】
システムはさらに、地理的位置情報を提供するための、ビデオキャプチャ及び符号化モジュール１２に関連したGPSモジュール１４を備えることができる。GPSモジュール１４は、ビデオキャプチャ及び符号化モジュール１２及び/又はローカルストレージモジュール１６と一体化されてよく、又は、それから別個に実装されてもよい。ローカルストレージモジュール１６が、ビデオキャプチャ及び符号化モジュール１２に一体化されているか否かに応じて、ローカルストレージモジュール１６及び/又はビデオキャプチャ及び符号化モジュール１２はGPS１４と通信してもよい。
【００７１】
メタデータ情報はさらに、カメラの位置、ビデオの長さ、ビデオ及び音声のフォーマット、タイムコード、ビデオファイルのサイズ、カメラ識別情報、所有権及び著作権情報、及び事前定義され又はユーザにより動的にログインされる他のメタデータ情報、又は他のタイプの識別情報の少なくとも一つを含んでよい。追加のメタデータ情報は、割り当て名、地理的な位置、カメラマンの名、レポータ名、カメラクルー名、アシスタント名、プロデューサ名、ストーリーの題名、主題の参照、プログラム名、ユーザのコメントなどの少なくとも一つを含み得る。
【００７２】
メタデータ情報は、マップ３０及びグラフィカル・ユーザ・インターフェース２１の対応する検索機能の表示を可能にするために、リモートストレージ及びウェブサーバ・デバイス２０により使用される。ビデオコンテンツは、メタデータ情報又はメタデータ情報の任意の組み合わせのいずれかで検索することができる。例えば、メタデータを介して検索することは、グラフィカル・ユーザ・インターフェース２１上の検索ボックス３５を介して有効にすることができる。更に、ユーザがまた、カメラクルー名、ストーリーの題目などのような、追加のメタデータを使用して検索を絞り込むことができる。
【００７３】
追加のメタデータ情報は、ビデオキャプチャ及び符号化モジュール１２上のキーボードを介して、ビデオキャプチャ及び符号化モジュール１２上のタッチスクリーンキーパッドを介して、又はビデオキャプチャ及び符号化モジュール１２と通信する外部デバイス１７（例えば、タッチスクリーンや外部デバイス１７上のキーパッド）を介してユーザにより入力されてよい。更に、追加のメタデータは、ビデオコンテンツの記録の後に、グラフィカル・ユーザ・インターフェース２１を介して入力されてもよい。
【００７４】
ビデオキャプチャ及び符号化モジュール１２は、ビデオカメラ、ビデオカメラ、テレビカメラ、ムービーカメラ、携帯型電子デバイス、タブレットコンピュータ、スマートフォン、IP又はウェブカメラなどの一つを含んでよい。
【００７５】
ユーザは、リモートストレージ及びウェブサーバ・デバイス２０に直接に、又はネットワーク１８を介してリモートストレージ及びウェブサーバ・デバイス２０にリモートでアクセスするためのリモートアクセス・デバイス４０を介してアクセスすることができる。このような実施例では、グラフィカル・ユーザ・インターフェース２１は、リモートアクセス・デバイス４０上に表示されてよく、リモートアクセス・デバイス４０は、本明細書で説明されるリモートストレージ及びウェブサーバ・デバイスのすべての機能を可能にすることができる。リモートアクセス・デバイス４０は、コンピュータ、ラップトップコンピュータ、携帯用電子機器、タブレットコンピュータ、スマートフォン、又は他のタイプのインターネット対応デバイスの一つを含むことができる。
【００７６】
外部ストレージデバイス１６は、外部デバイス１７に組み込んでよい。更に又は代替的に、外部デバイス１７は、リモートアクセス・デバイス４０と同じ機能を含んでよい。外部デバイス１７は、ビデオキャプチャ及び符号化モジュール１２と有線又はローカル無線通信であっても、又はネットワーク１８を介して接続されてもよい。外部デバイス１７は、コンピュータ、ラップトップコンピュータ、携帯用電子機器、タブレットコンピュータ、スマートフォン、又は他のタイプのインターネット対応デバイスの一つを含んでよい。
【００７７】
リモートストレージ及びウェブサーバ・デバイス２０は、ローカルソフトウェアアプリケーション又はクラウドベースのアプリケーション（それぞれはウェブインターフェースを提供する）を実行するコンピュータの一つを含んでよい。
【００７８】
選択された、記憶されたビデオコンテンツは、高解像度又は低解像度で記録されたコンテンツの選択された部分、高解像度又は低解像度で記録されたコンテンツの全体、及び高解像度又は低解像度で記録されたコンテンツからの選択された一つ以上の画像の一つを含んでよい。
【００７９】
メタデータは、リアルタイム又はほぼリアルタイムで、リモートストレージ及びウェブサーバ・デバイス２０に、記録されたビデオコンテンツと共に記録され、同時に保存され、又はビデオキャプチャ及び符号化モジュール１２に関連したローカルストレージモジュール１６から、リモート及びウェブサーバ・デバイス２０に、記録されたビデオコンテンツと共にその後に転送されてもよい。
【００８０】
これに代えて、メタデータは、リアルタイム又はほぼリアルタイムで、リモートストレージ及びウェブサーバ・デバイス２０で、記録されたビデオコンテンツなしで記録され、保存され、又はビデオキャプチャ及び符号化モジュール１２に関連したローカルストレージモジュール１６から、リモート及びウェブサーバ・デバイス２０に、記録されたビデオコンテンツとともにその後に転送されてもよい。
【００８１】
グラフィカル・ユーザ・インターフェース２１により、操作者は（例えば、マップ及び経路追跡機能を使用して）地域別に検索することができる。グラフィカル・ユーザ・インターフェース２１はさらに、経路又は経路の部分においてズームインするためのズーム機能、マップの領域を拡張するための拡張機能、表示される経路の日時範囲などの少なくとも一つを選択するための選択インターフェースのうち少なくとも一つを含んでよい。ズーム、拡張及び位置変更のための標準マップナビゲーション制御３３を利用してよい。グラフィカル・ユーザ・インターフェース２１はまた、スライド可能な日時インターフェース３８の使用により、日時、日付/時刻、タイムコード、及び現在の時間（現在の時刻/リアルタイム検索を含むものまで）のための範囲によって、ビデオコンテンツの検索を可能にする。
【００８２】
本発明の一実施例において、ビデオキャプチャ及び符号化モジュール１２、GPSモジュール１４、及びローカルストレージモジュール１６は、サブシステム１０を構成することができる。リモートストレージ及びウェブサーバ・デバイス２０は、一つ以上のサブシステム１０からのメタデータ情報を受信し、記憶することができる。リモートストレージ及びウェブサーバ・デバイス２０はまた、複数のサブシステム１０からの関連したビデオコンテンツを記憶することができる。リモートストレージ及びウェブサーバ・デバイス２０上で実行されるグラフィカル・ユーザ・インターフェース２１は、少なくとも日付、時間及び/又は場所（ビデオコンテンツに関連したメタデータ情報に基づく）、及びビデオコンテンツ又はその選択された部分（例えば、コンテンツストリーム２２又は高解像度のビデオクリップ２４）をダウンロードし、さらに/又はパスする能力により、ビデオコンテンツの検索を可能にする。
【００８３】
サブシステム１０は、（例えば、製造施設から離れている）場所に配置されてもよい。リモートストレージ及びウェブサーバ・デバイス２０は、例えば、製造設備の機械室に配置されてもよい。リモートアクセス・デバイス４０は、例えば、ニュースルームに配置されてもよい。しかしながら、サブシステム１０の潜在的な携帯性のために、それらは、互いに離れて又は近傍の任意の場所に配置することができる。
【００８４】
使用時に、サブシステム１０は、ローカルストレージモジュール１６（又はビデオキャプチャ及び符号化モジュール１２の内部メモリ）及び関連したメタデータ（限定ではないが、GPS１４からのデータを含む）にビデオコンテンツを記録する。メタデータの一部又はすべてが、後の段階で、リモートストレージ及びウェブサーバ２０に、対応するビデオコンテンツと共に又はこれなしで、同時に記録又は転送される。メタデータは、マップ３０と、対応する検索機能の表示を可能にするために、リモートストレージ及びウェブサーバ・デバイス２０によって使用される。所望のコンテンツが地理的領域、時刻、又は他のメタデータに基づいて配置されると、コンテンツがIPを介してフィールド・ディレクトリから所望の選択位置（図１の符号２２に示されるように）にストリーミングすること、又は選択位置４２で、高解像度フォーマットでコンテンツ（又はその一部）をダウンロードすることが可能となる。
【００８５】
本発明は、個人（本明細書では「市民レポータ」と参照する）がユーザデバイス上で使用可能なソーシャルメディアアプリケーションを介して従来のメディアアウトレットにコンテンツをキャプチャーし、提供できるようにすることもできる。今日の社会では、個人スマートフォンや他の電子機器を持つことが流行しており、そのような機器には、カメラやビデオレコーダーだけでなく、さまざまなソーシャルメディアアプリケーションが搭載されている。本発明により、ユーザによってキャプチャされ、そのようなソーシャルメディアアプリケーションにアップロードされたコンテンツは、従来のメディアアウトレットと共有することができ、スマートフォン又は同様の電子デバイスを有するすべての人が、ニュース、スポーツ、気象チャネルなどの従来のメディアアウトレットにコンテンツを提供することができる“市民レポータ”に変貌させる。
【００８６】
図３は、本発明の実施形態を実施するためのシステムの例示的な実施形態を示しており、メディアアウトレットが、現在記録されているコンテンツ又は将来に記録されるコンテンツについて、市民レポータを検索し、購入契約の締結を行うことを可能にする。市民レポータは、購買のために自らのサービスをメディアアウトレットに広告する方法として、ユーザデバイス４４を介して、ライブ又は記録されたビデオコンテンツをソーシャルメディアアプリケーション４８にアップロードすることができる。さらに、ユーザデバイス４４をメディアアウトレット（例えば、メディアアウトレットデバイス５０）に接続させることを可能にするソフトウェアアプリケーション（本明細書では“対話型メディアアプリケーション”４６と参照する）を、ユーザのユーザデバイス４４にロードすることができる。ユーザデバイス４４は、スマートフォン、タブレットコンピュータ、ラップトップ、ポータブルコンピュータ、スマートウォッチ、又はビデオ録画機能を有する他のインターネット又はネットワーク対応デバイスなど、任意のタイプのパーソナルコンピューティングデバイスを備えることができる。
【００８７】
対話型メディアアプリケーション４６は、ユーザデバイス４４を、ネットワーク５６を介してメディアアウトレットデバイス５０に接続することによって、個々の市民レポータとメディアアウトレットのスタッフとの間の通信を可能にすることができる。さらに、対話型メディアアプリケーション４６は、時間、日付及び位置情報を中央サーバ５２に送信することによって、ユーザデバイス４４の位置追跡を可能にする。例えば、アプリケーションは、ユーザデバイス４４上に既に存在するGPSアプリケーションを活用してもよく、GPS衛星５４と通信するGPSモジュールを含んでもよい。
【００８８】
対話型メディアアプリケーション４６はまた、メディアアウトレットスタッフが、現在パーソナルデバイスに（メディアアウトレットデバイスに直接的に又はウェブサイト又はモバイル アプリケーションなどの形をとることができるソーシャルメディアアプリケーション４８を介して）記録又は記憶されているコンテンツを見ることを可能にし、以下に詳細に説明するように、個人に追加のコンテンツの撮影又は記録を指示することができるようにしてもよい。対話型メディアアプリケーション４６は、メディアアウトレットのスタッフが、市民レポータ（又は上記の他のコントリビュータ）と常時接続及び継続的に通信することを可能にし、記録されるコンテンツの制御だけでなく、記録音されるコンテンツや、記録の位置の検証を可能にする。
【００８９】
したがって、対話型メディアアプリケーション４６を実行する個人ユーザ（市民レポータ）のネットワークが形成され、メディアアウトレットデバイス５０を介してメディアアウトレットに接続されてもよい。メディアアウトレットデバイス５０（例えば、デスクトップコンピュータ、ラップトップ、タブレットコンピュータ、スマートフォン、上述の専用テレビカメラ又はトランシーバ、又は他のインターネット対応デバイスを含むことができる）上で動作するメディアアウトレットアプリケーション５８は、メディアアウトレットのスタッフが（例えば、グローバルエリアネットワーク、セルラーネットワーク、インターネットなどのネットワーク５６を介して）メディアアウトレットに接続された様々な市民レポータの位置を見ることを可能にする。例えば、市民レポータの位置は、上述され、図１に示されるように、グラフィカルユーザインターフェース２１の一部として対話型マップ３０上に表示されてもよい。図１及び図２に関連して上述したように、日付、時間、位置及び他の情報を有するメタデータは、コンテンツの記録中の市民レポータの位置を追跡するのに使用するビデオコンテンツと共に記録され、提供されてもよい。
【００９０】
本発明はまた、一つのメディアアウトレットが別のメディアアウトレットのライブで、又は記録されたコンテンツを検索し、及び/又は一つのメディアアウトレットが別のメディアアウトレットにコンテンツを提供することを可能にするように拡張することもできる。
【００９１】
対話型メディアアプリケーション４６及び/又はメディアアウトレットアプリケーション５８は、コンピュータプロセッサ、通信インターフェースなどを含む、必要なハードウェア及びソフトウェアを有する任意のタイプのコンピュータ化されたデバイス上で動作する、ダウンロード可能なアプリケーション又はウェブベースのアプリケーションのいずれかであってもよい。
【００９２】
例示的な実施形態では、ユーザインターフェース２１及びヒートマップ３０は、メディアアウトレットデバイス５０からアクセスされるか、又はメディアアウトレットデバイス５０に実装され得る。ユーザインターフェースは、メディアアウトレットアプリケーション５８を介して使用可能となる。代替的に、メディアアウトレットデバイス及び/又はメディアアウトレットアプリケーション５８は、図１に関連して上述したリモートストレージ及びウェブサーバデバイス２０を備えてもよく、対応する特徴及び機能性が提供されてもよい。
【００９３】
上述たように、ヒートマップ３０は、メディアスタッフがレポータ（この実施形態では、一人以上の市民レポータ）からコンテンツを選択し、それをスクリーン上に表示することを可能にし、メディアスタッフが生のニュース、スポーツ、 天気予報、交通事故、事故その他のライブ映像を遠隔で視聴することができる。ユーザインターフェース２１及びマップ３０へのアクセスは、許可（例えば、ユーザ名及びパスワード又は他のセキュリティ手段）のみによって行うことができる。図１に関連して上述したように、ヒートマップ３０は、メディアスタッフが対話型メディアアプリケーション４６を実行しているユーザデバイスの現在の位置を決定することを可能にする。これらのユーザを（対話型メディアアプリケーション自体を介して、又はユーザのソーシャルメディアアカウントの監視を介して）監視することにより、メディアスタッフは、ニュースがいつどこで発生しているかを、さらに、生放送、ソーシャルメディア、又は再放送に適した映像を簡単に判断することができる。特定の映像が選択されると、メディアスタッフは市民レポータと通信し、メディアコンテンツを再放送すること又は他の方法で表示する権利について市民レポータと購入契約を締結することができる。このような取引は、図３に示されているように、取引エンジンインターフェース６２を介してメディアアウトレットデバイス５０に結合された取引エンジン６０を介して可能となる。このような取引を容易にするために、ユーザの銀行口座情報又は他の形態の電子支払（PayPal、Googleウォレットなどの口座情報など）は、ユーザデバイス４４を介して対話型メディアアプリケーション４６に入力され、取引エンジン６０及び/又はメディアアウトレットデバイス５０に通信される。取引エンジン６０は、取引の処理のために財務エンティティ６４と通信することができる。財務エンティティ６４は、銀行、クレジットカード会社、PayPal、Google ウォレットサーバ、又は電子支払いを処理する他のエンティティを含むことができる。取引エンジン６０はまた、取引の請求書を作成するように構成されてもよい。
【００９４】
コンテンツの様々な購入オプションを提示することができる。例えば、ユーザは、排他的なライブ映像に対してはより多くの料金を払うことができ、他のユーザ（共有コンテンツ）によって記録されているコンテンツに対しては少なく払うこともでき、イベントの記録されたコンテンツに対してはさらに少なく払うこともできる。価格設定は、事前設定価格、交渉価格、又はオークションを介して決めてもよい。
【００９５】
購入されたコンテンツは、表示及び再放送（例えば、テレビジョンニュースチャンネルのような従来の放送アウトレット、メディアアウトレットウェブサイト又はストリーミングチャンネル、又はメディアアウトレットのソーシャルメディアチャンネル又はアカウントを介して）のために、ユーザデバイス４４をメディアアウトレットデバイス５０に直接提供することができる。代替的又は追加的に、購入されたコンテンツは、メディアアウトレットデバイス５０へのコンテンツの提供に先立って、又は同時に、中央サーバ５２にアップロードされてよい。
【００９６】
購入前に、メディアコンセントのスタッフは、図１に関連して上述したものと同様のコンテンツの一部分の低解像度ビデオクリップ３６を提供することができる。低解像度ビデオクリップ３６は、 又は上述したようにユーザアイコン（中間点インジケータ）３２の上でクリック又はその上にマウスを置くことで視聴することができる。
【００９７】
図４は、自動車火災のライブビデオ映像４５を記録するユーザ装置４４の一例を示す。図５は、図４のユーザデバイス４４が選択されたときの対話型マップ３０を示すメディアアウトレットデバイス５０のユーザインターフェーイス２１の一例を示す。明確にするために、マップ３０は、選択されたユーザデバイス４４の位置のみを示す。ユーザインターフェースはまた、サイドバー７０に記録されている現在のビデオ映像４５を、ユーザ名７２及び様々なタイプのビデオ映像（例えば、排他的なライブ記録、共有したライブ記録（他人により記録されたものも含む）、及び記録/記憶された映像）に対する購入額７４（及び任意の記載）とともに示す。
【００９８】
図５のサイドバー７０はまた、利用可能な市民レポータのリスト７６の例と、リスト７６から選択された１人以上の市民レポータとの通信のためのチャット機能７８とを示す。
【００９９】
図６は、ヒートマップ３０の例示的な実施形態を示し、特定の領域（この場合、米国）における対話型メディアアプリケーションを実行するすべてのユーザデバイスの現在の位置を示す。マップ３０は、図６に示されているものよりも小さい又は大きい領域を含む、異なる領域又は領域が示されるように構成されてもよいことを理解されたい。例えば、マップ３０は、単一の国、単一の州、複数の州又は国、個々の町又は都市、複数の町又は都市、特定の地理的地域などを示すように構成することができる。コンテンツをメディアアウトレット（例えば、ライブモードにあるもの）に盛んに送信しているユーザデバイス４４は一つの色（例えば、赤色）で示され、コンテンツを記録していない（例えば、スタンバイモードにあるもの）ユーザデバイス４４は別の色（例えば、青色）で示すことができる。
【０１００】
ユーザデバイス４４は、マップ３０上に一緒にグループ化することができる。例えば、互いに近接しているユーザデバイス４４は、大きなサークルとして示すことができる。サイズが徐々に（より小さい又はより大きい）変わるサークルを使用して、対応するサイズのユーザデバイスのグループを表示することができる。領域内のユーザデバイスの数を示す数字がサークルの内側に提供されてもよい。図７に示されているように、内側に数字３０が記載された大きなサークル８０は、マップ３０上のサークルの位置に対応する領域に３０個のユーザデバイス４４があることを示し、内側に数字１０が記載された小さなサークル８２は、マップ３０上の位置に対応する領域に１０個のユーザデバイス４４があることを示し、より小さなサークル８４は、マップ３０の対応する領域にわずかな数のユーザデバイス４４があることを示す。ライブモードのユーザデバイス４４は、第１の色のサークル（例えば、赤色のサークル）で示されてもよく、スタンバイモードのユーザデバイス４４は、第２の色のサークル（例えば、青色のサークル）で示されてもよい。 サークル（例えば、サークル８０、８２、８４）をクリックすることにより、対応するすべてのユーザデバイス４４のリスト（ライブ、スタンバイ、又はその両方）がユーザインターフェース２１に表示される。例えば、図７に示されているサークルのうちの一つをクリックすると、サークル内のユーザデバイス４４に対応する市民レポータ/ソースのリストを、図８に示すように、ユーザインターフェース２１のサイドバー７０に提示することができる。リスト化では、スクロール可能であり、記録の名称又はソース７２、記録からの低解像度画像又はビデオクリップ４５、及び録画に関する記述及び/又は購入情報７４を含むことができる。メディアアウトレットのメディアスタッフは、ユーザ又は複数のユーザからコンテンツを受信するように選択し、コンテンツの購入に対応する取引を入力することができる。 図１及び図２と共に上で記述されたマップ３０及びユーザインターフェース２１の任意の又はすべての特徴は、図５、６及び７に示されている実施形態に関連して実施することもできることを理解されたい。
【０１０１】
上述のように、チャット機能により、メディアスタッフは選択された市民レポータと通信することができる。 例えば、チャット機能は、対話型メディアアプリケーション４６又はソーシャルメディアアプリケーション４８のいずれかを介して使用可能にすることができる。ユーザインターフェース２１上のチャット機能７８を使用して市民レポータのユーザ識別情報（例えば、ユーザ名、ユーザ番号など）をクリックするか又は入力すること、又はマップ３０上に表示された市民レポータの対応するアイコンをクリックすることにより、市民レポータとの通信を開始することができる。チャット機能を使用して、メディアスタッフは、市民レポータに対して、ライブイベントの異なる画像又はビデオを取得するように、視野角又は視野を変えるように、画像の焦点を合わせるように、ズーム/拡大するようになど指示することができる。例えば、メディアスタッフは、ユーザインターフェースにコマンド又は指示を入力することができ、このことにより、市民レポータのデバイスのディスプレイ上に透明又は半透明のテキストが重ねて表示される。テキストの重ね表示は、記録されているコンテンツのすぐ上に表示されることがあり、テキストを通して視認可能又は部分的に視認可能となる。 例えば、図９は、川のボートのビデオ映像４５が、ユーザデバイス４４に今記録され、表示されている。図１０では、チャット機能が開始され、メディアスタッフは、ビデオ映像４５を見た後に、“ボートにカメラを集中させてください。”と入力し、このコマンドは市民レポータのデバイスにテキストボックス/重ね表示８６として表示されている。図１１に示されているように、一連のコマンド及び応答は、問題の画像又はビデオに関するデバイス画面（又は他のユーザインターフェース）に重ね表示することができる。図１２は、メディアスタッフと市民レポータとの通信を可能にするために画面上に現れるアプリケーションの一部として提供されるキーボード重ね表示８８の例を示す。キーボード重ね表示８８は、記録中のコンテンツの上にわたってディスプレイ上に現れる透明又は半透明の重ね表示（オーバーレイの下に見ることができるか、又は部分的に見ることができる）であってもよい。市民レポータからメディアスタッフへのメッセージは、例えば、ヒートマップ上に提供されたサイドバー７０内のチャット機能７８（図５に示されているように）に又は市民レポータから送信されるビデオコンテンツ上の重ね表示として、メディアアウトレットデバイスの画面上に表示することができる。
【０１０２】
メッセージ（ユーザデバイス上であろうとメディア出力デバイス上であろうと）は、一時的にしか現れず、次に隠されるか、又は応答が受信され、及び/又はチャット機能が終了するまで残ることがある。メッセージが隠されている場合、メッセージは、マップ３０上のユーザデバイス４４を表すアイコン上の指示（メッセージ番号、警告、又は他のラベル付けなど）によって、又はマップ３０又はユーザインターフェース２１に示されているメッセージアイコン９０によって表示されてよい。アイコンをクリックすると、そのユーザのすべてのメッセージが表示される。 チャット機能又はユーザメッセージはまた、ユーザインターフェース２１のサイドバー７０に示されてよい。
【０１０３】
グループチャットを有効にすることができる。 例えば、メディアスタッフは、複数のユーザアイコンをクリックして、同じイベントを報告している複数の市民レポータとチャットしたり、ヒートマップ３０又はユーザインターフェース２１のメニューバーにあるグループチャットアイコンをクリックした後に複数の市民レポータのユーザ識別情報を入力したりすることができる。市民レポータが図７に関連して上述されたようにグループ化されている場合、グループ又は市民レポータのサークルをクリックすると、自動的にそのグループのすべての市民記者とのグループチャットが可能になる。
【０１０４】
さらに、チャット機能を使用して、放送局は、これからのイベント（例えば、スポーツイベント、ニュース会議、ライブパフォーマンス、今発生している嵐、又は他の知れた気象現象、及び他の予定されたイベント又は出来事）対して録画サービスを要求する、接続された市民レポータにグローバル又はグループ通信を送ってもよい。
【０１０５】
一つの例示的な実施形態では、コンテンツは、記録されたコンテンツ及び/又はライブコンテンツが販売可能なビデオマーケットプレイスにアップロードされてよい。放送局などのユーザは、以前に記録したビデオコンテンツを有料で検索、ダウンロード、再放送することができる。放送局又は他のユーザはまた、ヒートマップ３０を使用して最新のニュース及びライブイベントに関するライブコンテンツを検索及び購入することもでき、また、限定的ではないが、スポーツイベント、コンサート、又は他の娯楽イベント、他の公になったイベント予定などを含む、現在の/今後のライブイベントを記録する個人を特定及びスケジュール化することもできる。ビデオマーケットプレイスは、ヒートマップ３０だけでなく、その場所及び/又は操作領域とともに市民レポータリストを含むことができる。リストから市民レポータを選択すると、そのレポータによって記録された事前記録されたコンテンツのリストが提供される。コンテンツは、限定的ではないが、名称（例えば、イベントの名称など）、コンテンツのタイプ（ニュース、スポーツ、事故、コンサートの映像、天気、嵐など）、場所、又は他のキーワードによりなどを含むがこれらに限定されない様々な識別子によってリストされてもよい。各市民レポータのコンテンツ、又はすべての市民レポータの内容は、（図２に関連して上述したような）キーワード又は識別子によって検索可能である。
【０１０６】
本発明は、日時、地理的位置、又は他のメタデータに基づいてビデオコンテンツを検索するための有用な方法及び装置を提供することを理解されたい。本発明は、遠隔地で記録されたビデオコンテンツが、コンテンツが記録された直後の別の場所のユーザによってアクセスされ、検索され、見直されることを有利に可能にする。
【０１０７】
さらに、本発明は、伝統的なメディアアウトレットが、市民レポータからライブ又は記録されたビデオ報道（カバレッジ）を取得し、ライブ報道の位置に関する問題を回避でき、写真又はビデオが変更されていないことを証明でき、さらにライブイベントの開催中現場の人々にインタビューできるようにする。
【０１０８】
本発明は、様々な図示された実施形態に関連して説明されてきたが、特許請求の範囲に記載された本発明の思想及び範囲から逸脱することなく、さまざまな修正及び適合をなし得る。
【図１】
2018174516.tif 000003
【図２】
2018174516.tif 000004
【図３】
2018174516.tif 000005
【図４】
2018174516.tif 000006
【図５】
2018174516.tif 000007
【図６】
2018174516.tif 000008
【図７】
2018174516.tif 000009
【図８】
2018174516.tif 000010
【図９】
2018174516.tif 000011
【図１０】
2018174516.tif 000012
【図１１】
2018174516.tif 000013
【図１２】
2018174516.tif 000014
【外国語明細書】
2018174516000001.pdf